(57)【要約】  【課題】本発明は前面パネルと化粧カバーを備える空気調和機器において、前面に設けた吸込口の凹部を目立たせずに、コストを抑えながら、外観の視覚的な効果を上げ高級感ある意匠性を有する空気調和機器を提供するものである。  【解決手段】本発明は前面パネルと化粧カバーを備え、前記前面パネルは表面側から背面側に向かう凹部を備え、同凹部は底面に開口部を有し且つ側面が曲面状に形成され、前記化粧カバーは、前記前面パネルの開口部の周縁部と重合するように所要の間隔を在して配置された空気調和機器において、前記凹部の表面には光を反射する反射部を設けるとともに、前記化粧カバーの背面には前記反射部に映り込む色彩加工を施した色彩部を設けたことで、前記凹部の表面の反射部により前記化粧カバーの背面が照らされて明るくなり、前記化粧カバーの色彩加工を施した色彩部が逆に前記凹部に映り込むことになる。  【選択図】図３
2010025403.tif 000002
【特許請求の範囲】
【請求項１】
前面パネルと化粧カバーを備え、前記前面パネルは正面側から背面側に向かう凹部を備え、同凹部は底面に開口部を有し且つ側面が曲面状に形成され、前記化粧カバーは、前記前面パネルの開口部の周縁部と重合するように所要の間隔を在して配置された空気調和機器において、
前記凹部の表面には光を反射する反射部を設けるとともに、前記化粧カバーの背面には前記反射部に映り込む色彩加工を施した色彩部を設けたことを特徴とする空気調和機器。
【請求項２】
前記開口部と前記側面との間に平坦部を設けたことを特徴とする請求項１に記載の空気調和機器。
【請求項３】
前記反射部は高光沢やメタリック塗装または鏡面加工処理であることを特徴とする請求項１内至請求項２に記載の空気調和機器。
【発明の詳細な説明】
【技術分野】
【０００１】
本発明は空気調和機や空気清浄機の空気調和機器に係り、特に本体前面の表面処理に関するものである。
【背景技術】
【０００２】
空気調和機の室内ユニット１は、図１に示すように、熱交換器４と送風ファン３を支持するケーシング２と、同ケーシング２に被着された前面パネル５と、同前面パネルに係止された化粧カバー６で構成され、前記前面パネル５の上面に上面吸込口９、前面に前面吸込口１０があり、下部には吹出口１１が備えられ、前記上面吸込口９と前面吸込口１０から吸い込まれた吸込空気が熱交換されて冷気あるいは暖気となり、前記送風ファン３により前記吹出口１１から室内に送出されるものである。
【０００３】
近年は空気調和機の室内ユニットは設置する室内のインテリアに馴染むデザインが好まれている。そのため本体色は室内の壁紙に使われている白色や薄いベージュ色が多く、その上にウレタン高光沢塗装やパールやメタリック塗装を施し、質感を向上させて高級感を出すように処理が施されている。また形態においては吸込桟や吹出口による凹凸や孔によって存在が目立ちインテリアに違和感を与えることがないように、本体前面側は吸込桟を設けずにフラットなパネル形状が多くなってきている。このタイプでは空気の吸込みはユーザーの視線からは見えない上面側吸込口から吸い込まれ、吹出口は運転停止時に風向板により閉じられることになる。
【０００４】
しかし、空気調和機の室内ユニットは１つのモデルで例えば２．２Ｋｗから４．０Ｋｗまでの幅広い冷暖房能力に対応するため、高能力機種は上面側からだけの吸込みでは吸込量が不足することになる。また前記熱交換器４のように３段に折れて前面側に配置された構造では前面側からの吸込量が多いため効率を上げるために、従来例１として図７（a）の前面パネル分解斜視図の空気調和機の室内ユニット３００のように前面パネル３０１の前面に化粧カバー３０２を備え、前記前面パネル３０１の上部に凹部３０３を設けて同凹部の一側面を吸込口３０４とするもの（特許文献１参照）が提案されている。
【０００５】
また空気清浄機においても、室内のインテリアに馴染むデザインが好まれている傾向は同様であるから、本体前面側には吸込桟を設けないフラットなパネル形状が提案されている。例えば従来例２として図８の空気清浄機の斜視図では、空気清浄機４００は前面パネル４０１に凹部４０２を設け凹部４０２の中央に吸込用開口部４０３を開けて同吸込用開口部４０３を覆うように化粧カバー４０４を備え、吸込開口部４０３と化粧カバー４０４の隙間を前面吸込口４０５とする構成であり、前面吸込口４０５は正面からは視認しにくくなっている。（特許文献２参照）
一方、前面パネルの前面に凹部を設け、その前に化粧カバーを備え同凹部と化粧カバーの隙間を前面吸込口とする空気調和機の室内ユニットや空気清浄機では、ユーザーの視線からは直接前面吸込口は見えなくても、化粧カバーの背面が凹部面に影として映り込むことになり、折角フラットなデザインであるにも関わらず、反って前面吸込口が目立つ結果となる。これを目立たなくさせるために前記従来例１では図７（ｂ）の縦断面図に示すように化粧カバー３０２の上端に光沢面３０５を設け、同光沢面３０５を前面パネル凹面３０６より上方に突き出すと共に、光沢面３０５の表裏面の上方を後方に傾斜させたから、光沢面３０５の反射効果による高級感を生み出すとともに、さらに光沢面３０５正面からの視界を透明部品の屈折効果３０８で吸込口３０４の上面３０７の下端よりも上の部分を見えるようにすることができ、吸込口３０４から前面パネル３０１の内側の部分が見えないようにすることができる。
【０００６】
しかし、この場合は前面パネル３０１に重ねて化粧カバー３０１を設けるため材料が二倍掛かり、さらに化粧カバー３０２を光沢のあるアクリル等の透明材料で加工する必要があり材料コストを上げることとなってしまう。
【０００７】
また、前面吸込口を目立たなくさせるために従来例３として図９の前面グリル拡大断面図に示すように空気調和機の室内ユニット５００では、前面パネル５０１と化粧カバー５０２の隙間を前面吸込口５０３として、孤を描くように凹部を設け同凹部を風路奥壁５０４としており、風路奥壁５０４とその下部を合わせて前面吸込口の全長にわたって、光が透過できる材質で作られた飾り板５０５を形成し、飾り板５０５の裏面には光を反射させる反射板５０６を設ける。そして風路奥壁５０４の内部に入射した光が、風路奥壁の背面の反射板５０６で反射され風路奥壁の表面側５０４に戻るとき、風路奥壁５０４の内部を照らして風路奥壁自身をほのかに発光させることになる。そのため室内ユニット５００を見上げた視線は前面吸込口５０３より風路奥壁５０４に注がれることになり、前面吸込口５０３を開口部として認識することが少なくなり、室内と違和感なく調和させることができるようになる。
【０００８】
しかし、この場合も前面吸込口５０３の幅と同じ幅が必要な飾り板５０５をアクリル等の透明材料で加工することと、光を反射させる反射板が必要となることで材料コストを上げることとなってしまう。（特許文献３参照）
【特許文献１】特開２００４−２５７６１９号公報
【特許文献２】特開２００２−２８２４２６号公報
【特許文献３】特開２００４−８５０２２号公報
【発明の開示】
【発明が解決しようとする課題】
【０００９】
上記従来例１または従来例３に記載された空気調和機の室内ユニットでは、光沢のあるアクリル等の透明材料および反射板で光を反射して吸込口の凹部を照らし前面吸込口周辺を明るくさせて前面吸込口を目立たなくさせるとともに、ひいては空気調和機の室内ユニットが室内に溶け込むデザインとなる効果があるが、前面吸込口と同幅を有する透明材料による化粧カバーもしくは飾り板、さらに光を反射させる反射板はヘアーライン等の処理を必要とするため、材料コストを上げることとなってしまう。
【００１０】
本発明は前面パネルと化粧カバーを備える空気調和機器において、前面に設けた吸込口の凹部を目立たせずに、コストを抑えながら、外観の視覚的な効果を上げ高級感ある意匠性を有する空気調和機器を提供するものである。
【課題を解決するための手段】
【００１１】
上述した課題を達成するため、本発明は以下に示す特徴を備えている。
【００１２】
本発明の請求項１の発明は、前面パネルと化粧カバーを備え、前記前面パネルは正面側から背面側に向かう凹部を備え、同凹部は底面に開口部を有し且つ側面が曲面状に形成され、前記化粧カバーは、前記前面パネルの開口部の周縁部と重合するように所要の間隔を在して配置された空気調和機器において、
前記凹部の表面には光を反射する反射部を設けるとともに、前記化粧カバーの背面には前記反射部に映り込む色彩加工を施した色彩部を設けたことで、前記凹部の表面の反射部により前記化粧カバーの背面が照らされて明るくなり、前記化粧カバーの色彩加工を施した色彩部が逆に前記凹部に映り込むことになる。
【００１３】
本発明の請求項２の発明は、前記開口部と前記側面との間に平坦部を設けたことで、前記化粧カバーの色彩部が映り込む面が広くなり、やや斜めから見た場合には、よりくっきりと色彩が映り込む面が視認できるものである。
【００１４】
本発明の請求項３の発明は、前記反射部は高光沢やメタリック塗装または鏡面加工処理であり、少しでも光を反射させる処理であればよい。
【発明の効果】
【００１５】
上記のように構成された本発明によれば、前面パネルと化粧カバーを備える空気調和機器において、前面に設けた凹部が明るくなり、凹部に映り込んだ色彩がデザインのアクセントとなると共に、コストを抑えながら、外観の視覚的な効果を上げ高級感ある意匠性を有する空気調和機器となるものである。
【発明を実施するための最良の形態】
【００１６】
以下、図を参照して本発明の実施の形態をまず実施例１で説明する。図１は本発明に係る空気調和機の室内ユニットの断面図であり、図２は本発明に係る空気調和機の室内ユニットの分解斜視図であり、図３は本発明に係る空気調和機の室内ユニットの斜視図であり、図４は本発明に係る空気調和機の室内ユニットで（ａ）は部分正面図、（ｂ）は（ａ）のＡ−Ａ’拡大端面図、（ｃ）は化粧カバーの部分縮小背面図である。なお、上述した従来例と同一の構成要素には同じ参照符号が用いられている。
【００１７】
空気調和機の室内ユニット１は、熱交換器４と送風ファン３とフィルター８と図示しない電装品箱を支持するケーシング２と、同ケーシング２に被着された蒲鉾状の前面パネル５と、同前面パネルに係止された化粧カバー６で構成され、前記前面パネル５の上面に上面吸込口９、前面に前面吸込口１０があり、下部には吹出口１１が備えられ、前記上面吸込口９と前面吸込口１０から吸い込まれた吸込空気を熱交換して冷気あるいは暖気とし、前記送風ファン３により吹出口１１から風向板１２で風向を調整して室内に送出している。
【００１８】
前面パネル５は正面側から背面側に向かい凹部５０を有する。凹部５０の上下位置は上面吸込口９と吹出口１１の間にあり、横幅は前面パネルの全幅近くある。
【００１９】
凹部５０の底面５０aには、底面５０aの背面側でフィルター８と重なる部分が開口され開口部５３となり、室内ユニット１の右端側に配置される図示しない電装品箱と重なる部分は保護壁５４となる。開口部５３の手前側には開口部５３を上下に跨るように化粧カバー６を取り付ける取付板５５が数箇設けられている。また保護壁５４は取付板５５と立ち上り高さの間隔Ｘを合わせてあり、取付板５５と保護壁５４の上部立ち上がり面には上面係止孔５６があり、正面側には前面係止孔５６ａがある。
【００２０】
開口部５３の周縁には平坦面５２が形成され、同平坦面５２から凹部５０の側面５１にかけて緩やかな曲面状に形成され、前面パネル５の全体または少なくても凹部５０の側面５１と平坦面５２には鏡面のように光を反射させるほどの光沢のあるウレタンによる高光沢塗装５８が施されている。
【００２１】
化粧カバー６は正面側上下方向に緩やかな曲面をつけたフラットな形状であり、上下左右寸法は前記凹部５０の平坦面５２と重合するぐらいがよい。
【００２２】
化粧カバー６の背面側には上部に前記上面係止孔５６に係止する上面係止爪６１と前記前面係止孔５６ａに係止する前面係止爪６１ａが設けられている。
【００２３】
化粧カバー６の色は前記前面パネルと同色でも良いが、デザインのバリエーションを図り別色としてもよい。次に化粧カバー６の背面周縁部に化粧カバー６の色とは異なる色でなる塗装６２を施した色彩部６３を設ける。塗装６２の塗装色は彩度の高いはっきりとした明るい色がよく蛍光色でもよい。なお、色彩部６３は化粧カバー６の背面全面に施してもよい。
【００２４】
化粧カバー６を前面パネル５に係止するには、上面係止爪６１を上面係止孔５６に引掛けて化粧カバー６を手前側に倒し、前面係止爪６１ａを前面係止孔５６ａに係止させる。取付けた際には化粧カバーと凹部の間は前記取付板５５の立ち上がり分の間隔Ｘをあけ、塗装６２を施した色彩部６３と前記凹部５０の平坦面５２とが重合するように取り付けられる。
【００２５】
係止した前面パネル５と化粧カバー６には正面側から見ると隙間Ｙができる。この隙間Ｙが前面吸込口１０となり、前面吸込口１０から吸い込まれた空気が曲面状の側面５１に導かれ、開口部５３からフィルター８を通り送風ファン３により吸い込まれる。
【００２６】
この際、間隔Ｘ＜隙間Ｙとなるように側面５１の曲面状を緩やかな形状となるように構成することが望ましい。
【００２７】
壁に掛けられた空気調和機の室内ユニット１を見上げると、前面吸込口１０から前面パネル５の凹部５０に差し込んだ光２０は凹部５０全体を明るくするとともに、凹部５０の表面に施された高光沢塗装５８により反射されて化粧カバー６の背面を明るく照らす。これにより従来なら暗部となる化粧カバー６の背面周縁が明るくなり、明るくなった塗装６２を施した色彩部６３が今度は凹部５０の高光沢塗装５８に映り込むことになり、映り込み５７としてはっきりとユーザー７に視認される。
【００２８】
これにより従来は化粧カバー６の影により本体に暗い印象を与えていた前面吸込口１０に彩度の高いはっきりとした明るい色が反映されて、前面吸込口１０も明るくなり、デザインのアクセントとなると共に、高級感を生み出し意匠性の向上が図れる。
【００２９】
なお、間隔Ｘ＜隙間Ｙとなっていることにより、映り込んだ塗装６２は側面５１の緩やかな曲面に幅広く映り込むことになりさらに視認しやすくなる。
【００３０】
さらに、凹部５０の平坦面５２により、前記化粧カバーの塗装６２を施した色彩部６３が映り込む面積が広くなり、やや斜めから見た場合には、奥までくっきりと塗装６２が映り込む面が覗け、より効果的である。
【００３１】
なお、実施例１では、空気調和機の室内ユニット１の前面吸込口１０および凹部５０を上下左右に設けているが、これに限らず１か所でもよい。
【００３２】
また、凹部５０の表面処理は光を少しでも反射させる効果のある処理であれば、実施例１に限らず、パールやメタリック塗装でもよいし、塗装に限らず蒸着メッキによる鏡面加工処理でもよい。さらに前面パネル自体をステンレス材で加工してもよい。
【００３３】
さらに、凹部５０にのみ上記処理を施した別の部材を組み合わせてもよいし、メタリック感のあるアルミシール部材を貼付してもよい。
【００３４】
同様に化粧カバー６の背面に施す塗装６２は、塗装に限らず蛍光色の塩ビ材のシール部材等の別部材を貼付してもよい。
【００３５】
次に図を参照して本発明の実施例２を説明する。図５は本発明に係る空気清浄機の構成を示すものであり、（ａ）は正面図、（ｂ）は化粧カバーを背面側から見た部分斜視図である。
【００３６】
空気清浄機１００の前面側は実施例１の空気調和機の室内ユニット１と同様に前面パネル１０５と化粧カバー１０６からなり、構成態様は共通している。相違点は前面パネル１０５には正面の左右に凹部１５０があり、化粧カバー１０６の背面周縁部に施す色彩部を塗装１６２ａと塗装１６２ｂの交互に施す複数色としている点である。
【００３７】
床や棚上に置かれた空気清浄機を見ると、塗装１６２ａと塗装１６２ｂが凹部１０５の反射部に映り込むことにより、映り込み１５７ａと映り込み１５７ｂとして二色が混じり合いながら交互に視認されることになり、独特の視覚効果が得られる。
【００３８】
次に図を参照して本発明の実施例３を説明する。図６は本発明に係る床置型空気調和機の斜視図である。
【００３９】
床置型空気調和機２００の前面側は空気調和機の室内ユニット１と同様に前面パネル２０５と化粧カバー２０６からなり、構成態様は共通している。相違点は前面パネル２０５には正面の左右に凹部２５０があり、化粧カバー２０６ともう一枚の化粧カバー２０６ａがある点である。
【００４０】
化粧カバー２０６の表面色は夏用に白および寒色系の色彩とする。そして化粧カバー２０６の背面には図示しないが本体色よりはっきりとした蛍光色等の寒色の塗装２６２を施す。また、化粧カバー２０６ａには冬用にクリーム色や暖色系の色彩とする。そして化粧カバーの背面には図示しないが本体色よりはっきりとした蛍光色等の暖色の塗装２６２ａを施す。
【００４１】
化粧カバー２０６および化粧カバー２０６ａは取り換え可能となっている。夏は化粧カバー２０６を取り付けることで映り込み２５７によって冷風のイメージを与え、冬は化粧カバー２０６ａを取り付けることで映り込み２５７ａによって温風のイメージを与えることができ、視覚的にも空調効果を与える空気調和機器となるものである。
【００４２】
本発明は、空気調和機の室内ユニット、空気清浄機、床置き型空気調和機について説明してきたが、これに限定するものではなく前面側に凹部を有する換気扇や除湿機および脱臭機を含む空気調和機器全般に適用が可能である。
【図面の簡単な説明】
【００４３】
【図１】本発明に係る空気調和機の室内ユニットの断面図。
【図２】本発明に係る空気調和機の室内ユニットの分解斜視図。
【図３】本発明に係る空気調和機の室内ユニットの斜視図。
【図４】本発明に係る空気調和機の室内ユニットで（ａ）は部分正面図、（ｂ）は（ａ）のＡ−Ａ’拡大端面図、（ｃ）は化粧カバーの部分縮小背面図。
【図５】本発明に係る実施例２の空気清浄機１の構成を示すものであり（ａ）は部分拡大正面図、（ｂ）は化粧カバーの部分斜視図。
【図６】本発明に係る実施例３の床置型空気調和機の斜視図。
【図７】従来例１を示す空気調和機の室内ユニットの前面パネルで（ａ）は分解斜視図、（ｂ）は縦断面図。
【図８】従来例２を示す空気清浄機の斜視図。
【図９】従来例３を示す空気調和機の室内ユニットの前面パネル拡大断面図。
【符号の説明】
【００４４】
１    空気調和機の室内ユニット
５    前面パネル
５０  凹部
５１  側面
５２  平坦面
５３  開口部
５４  保護壁
５５  取付板
５６  上面係止孔
５６ａ前面係止孔
５７  映り込み
５８  高光沢塗装
６    化粧カバー
６１  上面係止爪
６１ａ前面係止爪
６２  塗装
１０  前面吸込口
２０  光 
【図１】
2010025403.tif 000003
【図２】
2010025403.tif 000004
【図３】
2010025403.tif 000005
【図４】
2010025403.tif 000006
【図５】
2010025403.tif 000007
【図６】
2010025403.tif 000008
【図７】
2010025403.tif 000009
【図８】
2010025403.tif 000010
【図９】
2010025403.tif 000011